(57)【要約】【課題】  本発明は、薄型化が可能で組立性に優れた部品点数の少ないシャッタ装置を提供すること。【解決手段】  本発明のシャッタ装置２１に係わるベース部材２３の円形状の基部２３ａの外側には、円弧状の中心が基部２３ａの中心と同じで互いの半径寸法が異なる第１、第２リンク部材２９、３０が同一平面上に所定の間隔を有して並設され、第１、第２リンク部材２０、３０が基部２３ａの外周部に沿って互いに反対方向にスライドすることにより、第１羽根３７がベース部材２３の開口部２３ｃを開閉する方向に回動可能になっている。【選択図】        図１
2005215566.tif 000002
【特許請求の範囲】
【請求項１】
所定の口径の開口部が形成された円形状の基部を有するベース部材と、このベース部材に一端部側が支持されて前記開口部を開閉する方向に回動可能な第１羽根とを備え、円形状の前記基部の外側の同一平面上には、第１リンク部材の外側に所定の間隔を有して第２リンク部材が並設され、前記第１、第２リンク部材が前記基部の外周部に沿って互いに反対方向にスライドすることにより、前記第１羽根が前記開口部を開閉する方向に回動可能になっていることを特徴とするシャッタ装置。
【請求項２】
前記第１、第２リンク部材は、互いの半径寸法が異なる円弧状に形成され、前記第１リンク部材の一方の面には、第１マグネットが取り付けられ、前記第１マグネットの端面と所定の間隔を有して隣り合わせて配設した第２マグネットが前記第２リンク部材の一方の面に取り付けられていることを特徴とする請求項１記載のシャッタ装置。
【請求項３】
前記第１、第２マグネットと対向する側に第１コイルを配設し、前記第１コイルに通電して発生する磁束が前記第１、第２マグネットの磁束に作用して、前記第１、第２マグネットが前記基部の外周部に沿って互いに離れる方向、または互いに近づく方向に移動するようになっていることを特徴とする請求項２記載のシャッタ装置。
【請求項４】
前記第１羽根の前記一端部側には、前記ベース部材に形成した第１羽根支持部に支持可能な第１支持部が形成され、前記第１、第２リンク部材のそれぞれの一端部側には、前記第１羽根支持部と共に前記第１支持部に支持可能な第１、第２羽根駆動部が形成され、前記第１支持部は、長孔に形成されて前記第１羽根支持部および前記第１、第２羽根駆動部が挿入支持可能になっており、
前記第１、第２リンク部材が互いに反対方向にスライドすることにより、前記第１、第２羽根駆動部が前記第１支持部を操作して、前記第１羽根が前記回動可能になっていることを特徴とする請求項１乃至３のいずれかに記載のシャッタ装置。
【請求項５】
前記第１、第２マグネットは、板状に形成されて面方向に着磁され、前記第１コイルとの対向面側がそれぞれ同じ磁極になっていることを特徴とする請求項２乃至４のいずれかに記載のシャッタ装置。
【請求項６】
前記第１羽根と対称位置の前記ベース部材上には、前記第１羽根と独立して前記開口部を開閉可能な第２羽根が配設され、前記第１、第２リンク部材を配設した対称位置の前記ベース部材の前記基部の外周部には、前記第１、第２リンク部材と対称形状の第３、第４リンク部材が配設され、前記第３、第４リンク部材が前記基部の外周部に沿って互いに反対方向にスライドすることにより、前記第２羽根が前記開口部を開閉する方向に回動可能になっていることを特徴とする請求項１乃至５のいずれかに記載のシャッタ装置。
【請求項７】
前記第３リンク部材の一方の面には第３マグネットが取り付けられ、前記第３マグネットの端面と隣り合わせて配設した第４マグネットが前記第４リンク部材の一方の面に取り付けられ、前記第３、第４マグネットと対向する側に第２コイルを配設し、前記第２コイルに通電して発生する磁束が前記第３、第４マグネットの磁束に作用して、前記第３、第４マグネットが前記基部の外周部に沿って互いに離れる方向、または互いに近づく方向に移動するようになっていることを特徴とする請求項６記載のシャッタ装置。
【請求項８】
前記第２羽根の一端部側には、前記第１羽根の前記第１支持部と対称形状の第２支持部が形成され、前記第３、第４リンク部材には、前記第１、第２リンク部材の前記第１、第２羽根駆動部と対称位置に形成した第３、第４羽根駆動部が形成され、前記第２羽根の前記第２支持部に支持した前記第２羽根支持部の左右両隣には、前記第３、第４羽根駆動部が係合され、前記第３、第４リンク部材が互いに反対方向にスライドすることにより、前記第３、第４羽根駆動部が前記第２支持部を操作して、前記第２羽根が前記回動可能になっていることを特徴とする請求項６または７記載のシャッタ装置。
【請求項９】
前記第３、第４マグネットは、前記第１、第２マグネットと同形状で面方向に着磁され、前記第２コイルとの対向面側がそれぞれ同じ磁極になっていることを特徴とする請求項７または８記載のシャッタ装置。
【請求項１０】
前記ベース部材には、前記第１、第２マグネットを所定の間隔で離間させると共に、前記第３、第４マグネットを所定の間隔で離間させる一対の磁石仕切部が形成され、この一対の磁石仕切部には、前記第１、第２リンク部材及び前記第３、第４リンク部材を所定の間隔で同一面方向に離間させるリンク仕切部が形成されていることを特徴とする請求項７乃至９のいずれかに記載のシャッタ装置。
【請求項１１】
前記ベース部材には、前記第１、第２コイルを位置決め可能な位置決め部と、前記第１〜第４羽根駆動部が挿通可能な挿通部が形成されていることを特徴とする請求項８乃至１０のいずれかに記載のシャッタ装置。
【請求項１２】
前記第１羽根は、前記開口部を遮蔽可能なシャッタ羽根からなり、前記第２羽根は、ＮＤフィルタを取り付けたフィルタ羽根、または前記開口部の口径より小さい小径穴を有する絞り羽根からなることを特徴とする請求項６乃至１１のいずれかに記載のシャッタ装置。
【請求項１３】
前記第１〜第４リンク部材は、磁性材からなるボトムヨークに載置され、前記ベース部材上には、前記第１、第２コイルおよび前記第１、第２羽根を介して磁性材からなるトップヨークが配設されていることを特徴とする請求項７乃至１２のいずれかに記載のシャッタ装置。
【発明の詳細な説明】
【技術分野】
【０００１】
本発明は、シャッタ装置に係わり、デジタルムービーカメラあるいはデジタルスチルカメラ等に用いて好適なシャッタ装置に関する。
【背景技術】
【０００２】
従来のシャッタ装置を、特許文献１に基づいて説明すると、図９に示すように、リング状のマグネット１には、中央部に嵌合孔１ａが形成され、上面側に突出するダボ１ｂと、下面側に突出する２本のダボ１ｃ、１ｄとが形成されている。
前記マグネット１は、円周方向にｎ等分されてＳ極・Ｎ極が交互に着磁されている。
また、マグネット１の上部には、円筒状のコイル２が、絶縁材料からなるボビン３に巻き付けられて配設されている。前記ボビン３には、ダボ３ａが突出形成されている。
【０００３】
また、コイル２の上部には、磁性材料からなる円盤状のヨーク４が配設され、このヨーク４には、櫛歯状の第１磁極部４ａ、４ｂ、４ｃ、４ｄ、４ｅが形成されている。そして、コイル２に通電することにより櫛歯状の第１磁極部４ａ、４ｂ、４ｃ、４ｄ、４ｅが励磁されてコイル３が回転するようになっている。
また、嵌合孔１ａに嵌合リング６を嵌合させたマグネット１の下部には、コイル２によって磁極部４ａ〜４ｅとは逆の極性が励磁される第２磁極部である平板状の羽根押さえ板９が配設されている。
前記羽根押さえ板９の中央には、所定の口径の開口部９ａが形成されている。
【０００４】
また、羽根押さえ板９の下部には、第１、第２シャッタ羽根７、８を介して中央に開口部５ａが形成されたベース部材５が配設され、このベース部材５には、ダボ５ｂ、５ｃが形成されていると共にマグネット１のダボ１ｃ、１ｄが係合可能な長孔５ｄ、５ｅが形成されている。そして、マグネット１が回転することにより、ダボ１ｃ、１ｄが長孔５ｄ、５ｃに当接して、マグネット１の回転角度が所定角度で規制されるようになっている。
また、第１シャッタ羽根７は、丸孔７ａがベース部材５のダボ５ｃに嵌合すると共に、丸孔７ｂがマグネット１のダボ１ｄに嵌合している。  
【０００５】
また、第２シャッタ羽根８は、丸孔８ａがベース部材５のダボ５ｂに嵌合すると共に、丸孔８ｂがマグネット１のダボ１ｃに嵌合している。前記ベース部材５の下部には、ＮＤフィルタ板１０が配設され、孔１０ａがベース部材５の下面に形成したダボ（図示せず）に嵌合して回転自在になっている。
前記ＮＤフィルタ板１０には、光の透過率が小さなフィルタ部１０ｂが接着剤等で貼付されて形成されている。
そして、ＮＤフィルタ板１０が孔１０ａを支点として回動することにより、フィルタ１０ｂがベース部材５および羽根押さえ板９の開口部５ａ、９ａを覆うことができるようになっている。
【０００６】
また、ヨーク４上には連動レバー１１が配設されており、孔１１ａがボビン３のダボ３ａに支持されて、孔１１ａを支点として連動レバー１１が回動自在になっている。また、連動レバー１１の溝部１１ｂは、マグネット１のダボ１ｂに嵌合しており、マグネット１が回転すると、この回転に応じた角度だけ孔１１ａを支点として連動レバー１１が回動するようになっている。
前記連動レバー１１には、ギア部１１ｃが形成され、このギア部１１ｃに入力ギア１２のギア部１２ａが噛み合っている。
【０００７】
前記入力ギア１２は、内部にラチエットギア（図示せず）を有する出力部材１３と共にワンウエイクラッチを構成している。また、出力部材１３のピン１３ｂがＮＤフィルタ板１０の長孔１０ｃと摺動可能に嵌合している。
そして、出力部材１３の回転に応じて、ＮＤフィルタ板１０が回動して、フィルタ部１０ｂがそれぞれの開口部５ａ、９ａを覆う動作、または開放する動作を行うようになっている。
【０００８】
このような構成の従来のシャッタ装置におけるマグネット１とＮＤフィルタ板１０との動作を説明すると、例えばコイル２に対して非通電時は、フィルタ部１０ｂが開口部５ａ、９ａから待避した第１の露光状態となって停止している。
この状態から、コイル２に通電を行い、ヨーク４の磁極部４ａ〜４ｅのＳ極に励磁すると、回転方向の電磁力を受けたマグネット１は、時計回り方向に所定角度回転する。
【０００９】
この時の入力ギア１２は、連動レバー１１を介して回転するが、出力部材１３は内部のラチエットギアの作用で回転しないようになっている。そのために、ＮＤフィルタ板１０のフィルタ１０ｂは、羽根押さえ板９の開口部９ａから回避した第１の露光状態で停止したままである。
ここで、コイル２への通電方向を反対にすると、ヨーク４の磁極部４ａ〜４ｅがＮ極に励磁されて、マグネット１は反時計回り方向に所定角度回転する。
【００１０】
また、マグネット１の反転に連動して入力ギア１２も反転し、出力部材１３のラチエットギアの作用で出力部材１３が反時計回り方向に所定角度回転する。
これの伴って、出力部材１３のピン１３ｂにより、ＮＤフィルタ１０が回動して、フィルタ部１０ｂが開口部５ａ、９ａを覆うようになる。
このことにより、開口部５ａ、９ａを通過する光量が第１の露光状態より少ない第２の露光状態となる。
【特許文献１】特開２００２−３４５２２５号公報
【特許文献２】特開２００３−１１１３７６号公報
【発明の開示】
【発明が解決しようとする課題】
【００１１】
しかし、前述したような従来のシャッタ装置は、連動レバー１１、入力ギア１、および内部にラチエットギアを有する出力部材１３等を配設していたので、部品点数が多く、厚さ寸法が厚くなる問題があった。
また、部品点数が多いために、組立が複雑となって、コストアップになる問題があった。
また、絞り羽根シャッタ羽根７、８を回動操作するためのマグネット１で、連動レバー１１、入力ギア１２、出力部材１３等を介してＮＤフィルタ１０を回動させていたので、それぞれの部材間で発生するバックラッシュが累積されて、ＮＤフィルタ１０がアクチュエータであるマグネット１より若干遅れて回動する問題があった。
本発明は、前述したような課題を解決するためのものであり、薄型化が可能で組立性に優れた部品点数の少ないシャッタ装置を提供することを目的とする。
【課題を解決するための手段】
【００１２】
前記課題を解決するための第１の解決手段として本発明のシャッタ装置は、所定の口径の開口部が形成された円形状の基部を有するベース部材と、このベース部材に一端部側が支持されて前記開口部を開閉する方向に回動可能な第１羽根とを備え、円形状の前記基部の外側の同一平面上には、第１リンク部材の外側に所定の間隔を有して第２リンク部材が並設され、前記第１、第２リンク部材が前記基部の外周部に沿って互いに反対方向にスライドすることにより、前記第１羽根が前記開口部を開閉する方向に回動可能になっていることを特徴とする。
【００１３】
また、前記課題を解決するための第２の解決手段として、前記第１、第２リンク部材は、互いの半径寸法が異なる円弧状に形成され、前記第１リンク部材の一方の面には、第１マグネットが取り付けられ、前記第１マグネットの端面と所定の間隔を有して隣り合わせて配設した第２マグネットが前記第２リンク部材の一方の面に取り付けられていることを特徴とする。
【００１４】
また、前記課題を解決するための第３の解決手段として、前記第１、第２マグネットと対向する側に第１コイルを配設し、前記第１コイルに通電して発生する磁束が前記第１、第２マグネットの磁束に作用して、前記第１、第２マグネットが前記基部の外周部に沿って互いに離れる方向、または互いに近づく方向に移動するようになっていることを特徴とする。
【００１５】
また、前記課題を解決するための第４の解決手段として、前記第１羽根の前記一端部側には、前記ベース部材に形成した第１羽根支持部に支持可能な第１支持部が形成され、前記第１、第２リンク部材のそれぞれの一端部側には、前記第１羽根支持部と共に前記第１支持部に支持可能な第１、第２羽根駆動部が形成され、前記第１支持部は、長孔に形成されて前記第１羽根支持部および前記第１、第２羽根駆動部が挿入支持可能になっており、
前記第１、第２リンク部材が互いに反対方向にスライドすることにより、前記第１、第２羽根駆動部が前記第１支持部を操作して、前記第１羽根が前記回動可能になっていることを特徴とする。
【００１６】
また、前記課題を解決するための第５の解決手段として、前記第１、第２マグネットは、板状に形成されて面方向に着磁され、前記第１コイルとの対向面側がそれぞれ同じ磁極になっていることを特徴とする。
【００１７】
また、前記課題を解決するための第６の解決手段として、前記第１羽根と対称位置の前記ベース部材上には、前記第１羽根と独立して前記開口部を開閉可能な第２羽根が配設され、前記第１、第２リンク部材を配設した対称位置の前記ベース部材の前記基部の外周部には、前記第１、第２リンク部材と対称形状の第３、第４リンク部材が配設され、前記第３、第４リンク部材が前記基部の外周部に沿って互いに反対方向にスライドすることにより、前記第２羽根が前記開口部を開閉する方向に回動可能になっていることを特徴とする。
【００１８】
また、前記課題を解決するための第７の解決手段として、前記第３リンク部材の一方の面には第３マグネットが取り付けられ、前記第３マグネットの端面と隣り合わせて配設した第４マグネットが前記第４リンク部材の一方の面に取り付けられ、前記第３、第４マグネットと対向する側に第２コイルを配設し、前記第２コイルに通電して発生する磁束が前記第３、第４マグネットの磁束に作用して、前記第３、第４マグネットが前記基部の外周部に沿って互いに離れる方向、または互いに近づく方向に移動するようになっていることを特徴とする。
【００１９】
また、前記課題を解決するための第８の解決手段として、前記第２羽根の一端部側には、前記第１羽根の前記第１支持部と対称形状の第２支持部が形成され、前記第３、第４リンク部材には、前記第１、第２リンク部材の前記第１、第２羽根駆動部と対称位置に形成した第３、第４羽根駆動部が形成され、前記第２羽根の前記第２支持部に支持した前記第２羽根支持部の左右両隣には、前記第３、第４羽根駆動部が係合され、前記第３、第４リンク部材が互いに反対方向にスライドすることにより、前記第３、第４羽根駆動部が前記第２支持部を操作して、前記第２羽根が前記回動可能になっていることを特徴とする。
【００２０】
また、前記課題を解決するための第９の解決手段として、前記第３、第４マグネットは、前記第１、第２マグネットと同形状で面方向に着磁され、前記第２コイルとの対向面側がそれぞれ同じ磁極になっていることを特徴とする。
【００２１】
また、前記課題を解決するための第１０の解決手段として、前記ベース部材には、前記第１、第２マグネットを所定の間隔で離間させると共に、前記第３、第４マグネットを所定の間隔で離間させる一対の磁石仕切部が形成され、この一対の磁石仕切部には、前記第１、第２リンク部材及び前記第３、第４リンク部材を所定の間隔で同一面方向に離間させるリンク仕切部が形成されていることを特徴とする。
【００２２】
また、前記課題を解決するための第１１の解決手段として、前記ベース部材には、前記第１、第２コイルを位置決め可能な位置決め部と、前記第１〜第４羽根駆動部が挿通可能な挿通部が形成されていることを特徴とする。
【００２３】
また、前記課題を解決するための第１２の解決手段として、前記第１羽根は、前記開口部を遮蔽可能なシャッタ羽根からなり、前記第２羽根は、ＮＤフィルタを取り付けたフィルタ羽根、または前記開口部の口径より小さい小径穴を有する絞り羽根からなることを特徴とする。
【００２４】
また、前記課題を解決するための第１３の解決手段として、前記第１〜第４リンク部材は、磁性材からなるボトムヨークに載置され、前記ベース部材上には、前記第１、第２コイルおよび前記第１、第２羽根を介して磁性材からなるトップヨークが配設されていることを特徴とする。
【発明の効果】
【００２５】
本発明のシャッタ装置は、円形状の基部の外側の同一平面上には、第１リンク部材の外側に所定の間隔を有して第２リンク部材が並設され、第１、第２リンク部材が基部の外周部に沿って互いに反対方向にスライドすることにより、第１羽根が開口部を開閉する方向に回動可能になっているので、薄型が可能なシャッタ装置を提供できる。
【００２６】
また、第１、第２リンク部材は、互いの半径寸法が異なる円弧状に形成され、第１リンク部材の一方の面には、第１マグネットが取り付けられ、第１マグネットの端面と所定の間隔を有して隣り合わせて配設した第２マグネットが第２リンク部材の一方の面に取り付けられているので、少ない部品点数で第１羽根を回動操作することができる。
【００２７】
また、第１、第２マグネットと対向する側に第１コイルを配設し、第１コイルに通電して発生する磁束が第１、第２マグネットの磁束に作用して、第１、第２マグネットが基部の外周部に沿って互いに離れる方向、または互いに近づく方向に移動するようになっているので、第１コイルに発生する磁束で、第１、第２リンク部材を容易にスライドさせることができる。
そのために低消費電力のシャッタ装置を提供できる。
【００２８】
第１、第２リンク部材の前記スライドに連動して、第１、第２羽根駆動部が第１羽根支持部を挟んで互いに反対方向に移動し、第１羽根が開口部を開閉する方向に回動するようにしたので、第１羽根を確実に回動させることができる。
【００２９】
また、第１、第２マグネットは、板状に形成されて面方向に着磁され、第１コイルとの対向面側がそれぞれ同じ磁極になっているので、第１コイルに通電する方向を制御することで、第１、第２マグネットを互いに離れる方向または近づく方向に移動させることができる。
【００３０】
また、ベース部材の基部の外側には、第１、第２リンク部材と対称形状の３、第４リンク部材が配設され、第３、第４リンク部材が基部の外周部に沿って互いに反対方向にスライドすることにより、第２羽根が開口部を開閉する方向に回動可能になっているので、第２羽根をフィルタ羽根あるいは絞り羽根とすることで、確実なフィルタ動作あるいは絞り動作を行うことができる。
【００３１】
また、第３、第４マグネットと対向する側に第２コイルを配設し、第２コイルに通電して発生する磁束が第３、第４マグネットの磁束に作用して、第３、第４マグネットが基部の外周部に沿って互いに離れる方向、または互いに近づく方向に移動するようになっているので、第２羽根を確実に開口部側に回動させることができる。
【００３２】
第２羽根の一端部側には、第１羽根の第１支持部と対称形状の第２支持部が形成され、第３、第４リンク部材には、第１、第２リンク部材の第１、第２羽根駆動部と対称位置に形成した第３、第４羽根駆動部が形成され、第３、第４リンク部材が互いに反対方向にスライドすることにより、第３、第４羽根駆動部が第２支持部を操作して、第２羽根が回動可能になっているので、第２羽根を回動させて、確実なフィルタ動作あるいは絞り動作を行うことができる。
【００３３】
また、第３、第４マグネットは、第１、第２マグネットと同形状で面方向に着磁され、第２コイルとの対向面側がそれぞれ同じ磁極になっているので、組立が容易である。
【００３４】
また、ベース部材には、第１、第２マグネットを所定の間隔で離間させると共に、第３、第４マグネットを所定の間隔で離間させる一対の磁石仕切部が形成され、この一対の磁石仕切部には、第１、第２リンク部材及び第３、第４リンク部材を所定の間隔で同一面方向に離間させるリンク仕切部が形成されているので、互いに反対方向にスライドする第１、第２リンク部材および第３、第４リンク部材が、リンク仕切部でそれぞれ仕切られて接触することがない。
そのために、第１、第２リンク部材および第３、第４リンク部材を、小さな磁束でスライドさせることができ、消費電力を小さくできる。
【００３５】
また、ベース部材には、第１、第２コイルを位置決め可能な位置決め部と、第１〜第４羽根駆動部が挿通可能な挿通部が形成されているので、第１、第２コイルを位置決めできると共に、挿通部から挿通する第１〜第４羽根駆動部によって、第１、第２羽根を確実に回動させることができる。
【００３６】
また、第１羽根は、開口部を遮蔽可能なシャッタ羽根からなり、第２羽根は、ＮＤフィルタを取り付けたフィルタ羽根、または前記開口部の口径より小さい小径穴を有する絞り羽根からなるので、確実なシャッタ動作およびフィルタ動作あるいは絞り動作を行うことができる。
【００３７】
また、第１〜第４リンク部材は、磁性材からなるボトムヨークに載置され、ベース部材上には、第１、第２コイルおよび第１、第２羽根を介して磁性材からなるトップヨークが配設されているので、それぞれのマグネットの磁束および第１、第２コイルの通電したときに発生する磁束漏れを小さくすることができる。
そのために、第１、第２コイルに通電する電力を少なくして省電力化できる。
【発明を実施するための最良の形態】
【００３８】
以下、本発明に関するシャッタ装置の実施の形態を図１〜図８に基づいて説明する。図１は本発明に関するシャッタ装置の分解斜視図であり、図２は図１の要部平面図であり、図３は図２の正面図であり、図４〜図６は本発明に係わる第１羽根の動作を説明する平面図であり、図７、図８は本発明に係わる第２羽根の動作を説明する平面図である。
まず、本発明の実施の形態のシャッタ装置２１を図１〜図３に基づいて説明すると、最下部には、薄板で鋼板等の磁性材料で形成されたボトムヨーク２２が配設されている。
前記ボトムヨーク２２は、中央部に後述するベース部材２３の円形状の基部２３ａが嵌合可能な開口２２ａを有する平面部２２ｂがドーナッツ状に形成されている。
【００３９】
また、ボトムヨーク２２の開口２２ａには、樹脂材料からなるベース部材２３の延円形状の基部２３ａが嵌合可能になっている。前記基部２３ａの上面には、後述する第１、第２羽根３７、３８を載置可能な平坦状の羽根載置部２３ｂが形成されている。また、基部２３ａの中央部の羽根載置部２３ｂには、所定の口径からなる開口部２３ｃが形成されると共に、この開口部２３ｃの図示手前側の左右が対称形状に切り欠きされて一対の着る位置決め部２３ｅが形成されている。
このコイル位置決め部２３ｅによって、円形状の開口部２３ａの外周壁の一部が露出している。
【００４０】
また、羽根載置部２３ｂの図示奥側は、略扇状に基部２３ａから外側に延出形成され、この延出形成された部分の羽根載置部２３ｂの外周部寄りの図示右側には、突起からなる第１羽根支持部２４が形成されている。
また、第１羽根支持部２４に隣接する羽根載置部２３ｂの内周側には、楕円孔からなる後述する第１羽根駆動部２９ａが挿通可能な挿通部２３ｆが形成されている。また、第１羽根支持部２４に隣接する羽根載置部２３ｂの外周側には、後述する第２羽根駆動部３０ａが挿通可能な切り欠き状の挿通部２３ｇが形成されている。
【００４１】
また、基部２３ａから延出する羽根載置部２３ｂの図示左側には、突起からなる第２羽根支持部２５が形成され、この第２羽根支持部２５に接する右側には、楕円孔からなる後述する第３羽根駆動部３３ａが挿通可能な挿通部２３ｈが形成され、右側には後述する第４羽根駆動部３４ａが挿通可能な切り欠き状の挿通部２３ｊが形成されている。
また、羽根載置部２３ｂの図示奥側の外周部寄りで、第１、第２羽根支持部２４、２５の間には第１、第２羽根支持部２４、２５の高さより低く形成された一対の凸部２３ｋが突出形成されている。前記凸部２３ｋは、開口部２３ｃの図示手前側の羽根載置部２３ｂ上にも形成されている。（後述する一方の仕切壁２８の根元部分の羽根載置部２３ｂ上）
【００４２】
また、一対のコイル位置決め部２３ｅが形成された部分の基部２３ａの対称位置からは、棒状の磁石仕切部２６、２７が外向きに突出形成されている。
それぞれの磁石仕切部２６、２７には、下面側にリンク仕切部２６ａ、２７ａが突出形成されると共に、上面側にコイル位置決め突起２６ｂ、２７ｂが突出形成されている。
また、基部２３ａから図示手前側と奥側の２箇所からは、外側に突出して一対の仕切壁２８、２８が形成されている。
【００４３】
また、ボトムヨーク２２の図示右側の平坦部２２ｂ上には、円弧状の半径寸法が異なる第１、第２リンク部材２９、３０が、同一平面上に所定の間隔を有して並設されている。半径寸法の小さな第１リンク部材２９が内側に、半径寸法の大きな第２リンク部材３０が外側に位置している。
前記第１、第２リンク部材２９、３０の図示奥側の一端部側で一方の面である上面には、それぞれ円柱状の第１、第２羽根駆動部２９ａ、３０ａが突出形成されている。
【００４４】
前記第１リンク部材２９は、第２リンク部材３０より他端部側が長く形成され、この他端部側の上面に略扇状で板状の第１マグネット３１が接着剤等で固着されている。また、第１リンク部材２９より短い第２リンク部材３０の他端部側には、第１マグネット３１と同形状の第２マグネット３２が固着されている。
そして、第１、第２リンク部材２９、３０は、第１、第２羽根駆動部２９ａ、３０ａを隣り合わせた状態でボトムヨーク２２の平坦部２２ｂ上に載置すると、第１マグネット３１の端面と所定の間隔を有して第２マグネット３２が隣り合って位置するようになっている。
前記第１、第２リンク部材２９、３０は、ボトムヨーク２２の平坦部２２ｂ上を平坦部２２ｂの円周方向に、それぞれスライド可能になっている。
【００４５】
また、ボトムヨーク２２の図示左側の平坦部２２ｂ上で、第１、第２リンク部材２９、３０が位置する部分と対称位置には、、第１、第２リンク部材２９、３０と対称形状の第３、第４リンク部材３３、３４が載置されている。
そして、第３、第４リンク部材３３、３４の一端部側には、第３、第４羽根駆動部３３ａ、３４ａが突出形成されている。
また、第３リンク部材３３の他端部側には第３マグネット３５が固着され、第４リンク部材３４の他端部側には第４マグネット３６が固着されている。そして、第３、第４マグネット３３、３４間には所定の隙間が形成されている。
前記第１、第２、第３、第４マグネット３１、３２、３４、３５は、上下面が互いに異なる磁極になるように着磁されて、例えば上面がＮ極、下面がＳ極に着磁されている。
【００４６】
このような第１、第２、第３、第４リンク部材２９、３０、３３、３４を載置したボトムヨーク２２上に、ベース部材２３を載置すると、仕切壁２８が平坦部２２ｂ上に位置すると共に、一方の磁石仕切部２６が第１、第２マグネット３１、３２間に位置する。同時に、リンク仕切部２６ａが第１、第２マグネット３１、３２間から露出する第１、第２リンク部材２９、３０間に挿入されて、第１、第２リンク部材２９、３０が接触しないようにガイドされる。
また、第３、第４リンク部材３３、３４も同様に、他方の磁石仕切部２７で第３、第４マグネット３５、３６が仕切られると共に、リンク支持部２７ａで第３、第４リンク部材３３、３４が接触しないようにガイドされる。
【００４７】
また、ベース部材２３の図示右側の羽根載置部２３ｂ上には、シャッタ羽根からなる第１羽根３７が載置されている。この第１羽根３７は、図示右側の一端部側に横長状の長孔からなる第１支持部３７ａが形成され、この第１支持部３７ａがベース部材２３の第１羽根支持部２４に挿入支持されるようになっている。
また、第１羽根３７は、他端部側にベース部材３２の開口部２３ｃの口径より面積の大きな遮蔽部３７ｂが形成され、第１羽根３７が第１羽根支持部２４を支点として回動することにより、遮蔽部３７ｂが開口部２３ｃを遮蔽可能になっている。
【００４８】
また、第１羽根支持部２４の左右には、それぞれの挿通部２３ｆ、２３ｇから第１、第２羽根駆動部２９ａ、３０ａが上方に挿通している。
そのために、第１支持部３７ａを第１羽根支持部２４に挿入支持すると、図２に示すように、第１羽根支持部２４の左右に第１、第２羽根駆動部２９ａ、３０ａが位置するようになっている。
また、ベース部材２３の図示左側の羽根載置部２３ｂ上には、フィルタ羽根からなる第２羽根３８が載置されている。この第２羽根３８は、図示左側の一端部側に横長状の長孔からなる第２支持部３８ａが形成され、この第２支持部３８ａが第２羽根支持部２５に挿入支持されるようになっている。
【００４９】
また、第２羽根３８は、他端部側にベース部材３２の開口部２３ｃの口径より大きな孔を有するリング状のフィルタ支持部３８ｂが形成され、このフィルタ支持部３８ｂにＮＤフィルタ（図示せず）が取り付けられている。
そして、第２羽根３８が第２羽根支持部２５を支点として開口部２３ｃを閉じる方向に回動すると、ＮＤフィルタによって開口部２３ｃが閉じられて、開口部２３ｃを通過する光量を調整可能になっている。
【００５０】
また、第２羽根支持部２５の左右には、それぞれの挿通部２３ｈ、２３ｊから第３、第４羽根駆動部３３ａ、３４ａが上方に挿通している。
そのために、第２支持部３８ａを第２羽根支持部２５に挿入支持すると、図２に示すように、第２羽根支持部２５の左右に第３、第４羽根駆動部３３ａ、３４ａが位置するようになっている。
【００５１】
また、第１、第２マグネット３１、３２と対向する上方には、略楕円形状の第１コイル３９が配設され、この第１コイル３９には、中央部に楕円孔３９ａが形成されている。また、第３、第４マグネット３４、３５と対向する上方には、第１コイル３９と同形状の第２コイル４０が配設され、この第２コイル４０には、楕円孔４０ａが形成されている。
前記第１、第２コイル３９、４０は、ＦＰＣ（フレキシブル基板）４１に接着剤等で取り付けられて一体化されている。
前記ＦＰＣ４１上には、スズメッキ鋼板等の磁性材料からなる板状のトップヨーク４２が配設され、第１、第２コイル３９、４０に通電して発生する磁束の密度を高めるようになっている。
【００５２】
前記トップヨーク４２には、ベース部材２３の開口部２３ｃと対向する位置に楕円孔４２ａが形成されている。この楕円孔４２ａに、第２羽根３８に取り付けた所定厚さのＮＤフィルタ（図示せず）が位置するようになっている。  
そして、第２羽根３８が回動すると、ＮＤフィルタが楕円孔４２ａ内を移動可能になっている。
また、第１楕円孔３４ａの図示左右には、第１、第２羽根支持部２４、２５及び第１、第２、第３、第４羽根駆動部２９ａ、３０ａ、３３ａ、３４ａが位置可能な逃げ部４２ｂ、４２ｂが形成されている。
【００５３】
このような構成の本発明のシャッタ装置２１の組立は、ボトムヨーク２２の図示右側の平面部２２ｂ上に、第１マグネット３１を固着した第１リンク部材２９と、第２マグネット３２を固着した第２リンク部材３０とを載置する。
また、ボトムヨーク２２の図示左側の平面部２２ｂ上に、第３マグネット３５を固着した第３リンク部材３３と、第４マグネット３６を固着した第４リンク部材３４を載置する。
【００５４】
次ぎに、ボトムヨーク２２上にベース部材２３を載置すると、仕切壁２８が第１と第３マグネット３１、３５間に位置すると共に第１〜第４羽根駆動部２９ａ、３０ａ、３３ａ、３４ａがベース部材２３のそれぞれの挿通部２３ｆ、２３ｇ、２３ｈ、２３ｊを挿通して上方に突出する。
また、一方の磁石仕切部２６が第１、第２マグネット３１、３２間に位置すると共に、第１、第２リンク部材２９、３０間にリンク仕切部２６ａが位置する。
また、他方の磁石仕切部２７が第３、第４マグネット３５、３６間に位置すると共に、第３、第４リンク部材３３、３４間にリンク仕切部２７ａが位置する。
【００５５】
次ぎに、ベース部材２３の第１羽根支持部２４、および挿通部２３ｆ、２３ｇを挿通して上方に突出する第１、第２羽根駆動部２９ａ、３０ａに、第１羽根３７の長孔からなる第１支持部３７ａを挿入して、第１羽根３７を羽根載置部３２ｂ上に載置する。
その後、第１羽根３７の上から、ベース部材２３の第２羽根支持部２５、および挿通部２３ｈ、２３ｊを挿通して上方に突出する第３、第４羽根駆動部３３ａ、３４ａに、第２羽根３８の長孔からなる第２支持部３８ａを挿入して、第２羽根３８を載置する。
【００５６】
次ぎに、第１、第２コイル３９、４０を固着したＦＰＣ４１を取り付けたトップヨーク４２の外周部を、ボトムヨーク２２の円形状の外周部に位置合わせしてベース部材２３上に載置する。
すると、トップヨーク４２はベース部材２３の３箇所の形成した凸部２３ｋに高さ方向が位置決めされる。このことにより、ベース部材２３の羽根載置部２３ｂとトップヨーク４２との間に、第１、第２羽根３７、３８が回動自在の所定寸法の隙間が形成される。
また、第１コイル３９は、楕円孔３９ａがコイル位置決め突起２６ｂに挿入されると共に略楕円状の外周部が図示右側のコイル位置決め部２３ｅに接して位置決めされる。
【００５７】
また、同様に、第２コイル４０は、楕円孔４０ａがコイル位置決め突起２７ｂに挿入されると共に、外周部が図示左側のコイル位置決め部２３ｅに接して位置決めされる。
そして、ボトムヨーク２２とトップヨーク４２との間の外周部が、円形状の周壁部材（図示せず）で覆うことにより、本発明のシャッタ装置２１が組み立てられている。このような本発明のシャッタ装置２１は、ボトムヨーク２２からトップヨーク４２までの厚さ寸法が略１、５ｍｍと薄型に形成されている。
【００５８】
このように組み立てられた本発明のシャッタ装置２１の動作は、図４〜図８の基づいて説明すると、まず、図４に示すように、例えば第１、第２コイル３９、４０に対して無通電時には、第１、第２羽根３７、３８が開口部２３ｃを開放する方向に回動した初期状態となっている。
この初期状態の時に、例えば、第２コイル４０への通電を停止して、第１コイル３９に一方向の電力を通電して発生する磁束が、第１、第２マグネット３１、３２の磁束に作用すると、第１、第２マグネット３１、３２がベース部材２３の基部２３ａの外周部に沿って、互いに離れる方向に移動する。
【００５９】
このことにより、第１リンク部材２９は、時計回り方向にスライドすると共に、第２リンク部材３０が反時計回り方向にスライドする。即ち、第１、第２リンク部材２９、３０は、基部２３ａの外周部に沿って互いに反対方向にスライドする。
すると、図５、図６に示すように、第１、第２羽根駆動部２９ａ、３０ａによって、第１羽根３７の長孔からなる第１支持部３７ａが操作されて、第１羽根３７が、第１羽根支持部２４を支点として反時計回り方向に回動して、遮蔽部３７ｂが開口部２３ｃを遮蔽する。そして、遮蔽部３７ｂによって、開口部２３ｃを通過する光が完全に遮蔽されてシャッタ動作が行われる。
【００６０】
また、開口部２３ｃを開放するには、第１コイル３９への通電方向を逆にすると、第１コイル３９に発生する磁束が第１、第２マグネット３１、３２の磁束に作用して、第１、第２マグネット３１、３２が互いに近づく方向に移動する。
このことにより、第１リンク部材２９が反時計回り方向にスライドすると共に、第２リンク部材３０が時計回り方向にスライドする。
すると、第１羽根３７は、第１羽根支持部２４を支点として、時計回り方向に回動して、遮蔽部３７ｂが開口部２３ｃを開放した初期状態に復帰する。
【００６１】
また、第２羽根３８を操作するには、例えば初期状態の時に、第１コイル３９への通電を停止して、第２コイル４０に一方向の電力を通電して発生する磁束が、第３、第４マグネット３５、３６の磁束に作用すると、第３、第４マグネット３５、３６がベース部材２３の基部２３ａの外周部に沿って、互いに離れる方向に移動する。
【００６２】
このことにより、第３リンク部材３３は、反時計回り方向にスライドすると共に、第４リンク部材３０が時計回り方向にスライドする。
すると、図７、図８に示すように、第３、第４羽根駆動部３３ａ、３４ａによって、第２羽根３８の長孔からなる第２支持部３８ａが操作されて、第２羽根３８が、第２羽根支持部２５を支点として時計回り方向に回動して、フィルタ支持部３８ｂに支持したＮＤフィルタ（図示せず）が開口部２３ｃ側に回動する。
そして、ＮＤフィルタによって、開口部２３ｃを通過する光量を調整するフィルタ動作が行われる。
【００６３】
また、ＮＤフィルタが開口部２３ｃを開放するには、第２コイル４０への通電方向を逆にすると、第２コイル４０に発生する磁束が第３、第４マグネット３５、３６の磁束に作用して、第３、第４マグネット３５、３６が互いに近づく方向に移動する。
このことにより、第３リンク部材３３が時計回り方向にスライドすると共に、第４リンク部材３４が反時計回り方向にスライドする。
すると、第２羽根３８は、第２羽根支持部２５を支点として、反時計回り方向に回動してＮＤフィルタが開口部２３ｃを開放した初期状態に復帰する。
【００６４】
本発明シャッタ装置２１は、基部２３ａの外側に第１〜第４リンク部材２９、３０、３３、３４を同一平面上に配設すると共に、第１〜第４マグネット３１、３２、３５、３６をそれぞれのリンク部材２９、３０、３３、３４上野同一平面上に配設しているので、厚さ寸法が略１．５ｍｍの薄型化が可能である。
尚、本発明では、第２羽根３８を、ＮＤフィルタをフィルタ支持部３８ｂに支持したフィルタ羽根で説明したが、第２羽根３８は、フィルタ羽根に換えて、開口部２３ｃの口径より小さい小径穴を有する絞り羽根（図示せず）からなり、この絞り羽根で、開口部２３ｃを通過する光量を調整するようにしたものでも良い。
【００６５】
また、本発明のシャッタ装置２１は、外部から衝撃力が加わって、例えば第１、第２リンク部材２９、３０が同方向にスライドするような荷重が加わったとしても、それぞれの羽根駆動部２９ａ、３０ａが第１羽根３７の第１支持部３７ａに支持されているので、同方向に動くことができない。
そのために、外部から衝撃が加わったとして、第１、第２羽根３７、３８が開口部２３ｃを閉じる方向に回動することがない。
また、第１、第２羽根３７、３８は、薄板状に形成されて質量が非常に小さいので、外部から衝撃力が加わったとしても回動しないようになっている。
【図面の簡単な説明】
【００６６】
【図１】本発明に関するシャッタ装置の分解斜視図である。
【図２】図１の要部平面図である。
【図３】図２の正面図である。
【図４】本発明に係わる第１羽根の動作を説明する平面図である。
【図５】本発明に係わる第１羽根の動作を説明する平面図である。
【図６】本発明に係わる第１羽根の動作を説明する平面図である。
【図７】本発明に係わる第２羽根の動作を説明する平面図である。
【図８】本発明に係わる第２羽根の動作を説明する平面図である。
【図９】従来のシャッタ装置の分解斜視図である。
【符号の説明】
【００６７】
２１  本発明のシャッタ装置
２２  ボトムヨーク
２２ａ  開口
２２ｂ  平面部
２３  ベース部材
２３ａ  基部
２３ｂ  羽根載置部
２３ｃ  開口部
２４  第１羽根支持部
２５  第２羽根支持部
２６  磁石仕切部
２６ａ  リンク仕切部
２７  磁石仕切部
２７ａ  リンク仕切部
２９  第１リンク部材
２９ａ  第１羽根駆動部
３０  第２リンク部材
３０ａ  第２羽根駆動部  
３１  第１マグネット
３２  第２マグネット
３３  第３リンク部材
３３ａ  第３羽根駆動部
３４  第４リンク部材
３４ａ  第４羽根駆動部
３５  第３マグネット
３６  第４マグネット
３７  第１羽根
３８  第２羽根
３９  第１コイル
４０  第２コイル
４１  ＦＰＣ
【図１】
2005215566.tif 000003
【図２】
2005215566.tif 000004
【図３】
2005215566.tif 000005
【図４】
2005215566.tif 000006
【図５】
2005215566.tif 000007
【図６】
2005215566.tif 000008
【図７】
2005215566.tif 000009
【図８】
2005215566.tif 000010
【図９】
2005215566.tif 000011